(57)【特許請求の範囲】
【請求項１】
表面に感光層を形成した円筒状導電性基体の内部に樹脂製フランジが圧入嵌合され、該フランジの中心を通して金属製回転軸を設け、該フランジに導電性ブラシを該円筒状導電性基体の裏面及び該回転軸に接するように装着した電子写真感光体において、
前記の導電性ブラシは、一端が板状の導電性基材で集束されており、その板状の導電性基材を円筒状導電性基体の裏面に接触させたことを特徴とする電子写真感光体。
【請求項２】
導電性ブラシを板状の電極板とフランジとの間に挾みこみ、該板状の電極板の周縁部の全部又は一部を円筒状導電性基体の裏面に接触させたことを特徴とする請求項１記載の電子写真感光体。
【請求項３】
導電性ブラシが熱硬化性の導電性テープで集束されていることを特徴とする請求項１記載の電子写真感光体。
【請求項４】
回転軸方向の導電性ブラシの先端が該回転軸の形状に合わせて、円弧状に切り揃えられていることを特徴とする請求項１記載の電子写真感光体。
【発明の詳細な説明】
【０００１】
【発明の属する技術分野】
本発明は電子写真感光体に関し、詳しくは、円筒状導電性基体の外表面に感光層を形成した電子写真感光体の基体と回転軸（ドラムシャフト）との導通手段に関する。
【０００２】
【従来の技術】
電子写真感光体上に、現像を行なうのに先立って、静電荷像を形成するには、感光層表面に均一帯電した後、像状露光を行なって露光されたところの表面電荷を良好に逃がすことが必要である。
このための手段として、（１）感光体用基体とフランジ中央部に貫通する回転軸とを金属性の板バネを介して導通する（特開昭６２−２２９２７３号）、また（２）フランジの基体端部に圧入嵌合される部分の先端に放線状に突き出した複数の脚部を有する金属板を固着させ（特開昭４−２３７０８８５号）などが提案されている。
前記（１）によれば、導電性の板バネを用い、感光ドラムの内面及びドラムシャフトの外面に弾性的に圧接させてドラムフランジを保持したことで、コストを低減し、感光ドラム両端部の膨出を少なくして良好なクリーニングが行いやすくなる。また、前記（２）によれば、フランジを感光体の基体端部に圧入嵌合させ、接着剤による接着を行うことなく強固に固定することができる。
【０００３】
【発明が解決しようとする課題】
ところが、前記（１）（２）のように、アース部材が金属板であると、回転軸との摺動時に、異音および摺動部の摩耗が発生するといった不都合があった。
本発明の目的はこれらの欠陥を解消し、長期間にわたって使用可能な電子写真感光体を提供するものである。
【０００４】
【課題を解決するための手段】
本発明者は目的達成のために、いろいろな角度から検討を重ねた結果、導電性ブラシをフランジに取付け、その導電性ブラシを感光体用基体（円筒状導電性基体の裏面）及び回転軸に接触させるようにすれば、従来からの不都合が解消され良好な結果が得られることを見出した。本発明はこれに基づいてなされたものである。
従って、本発明によれば、
（１）表面に感光層を形成した円筒状導電性基体の内部に樹脂製フランジが圧入嵌合され、該フランジの中心を通して金属製回転軸を設けた電子写真感光体において、該フランジに導電性ブラシを該円筒状導電性基体の裏面及び該回転軸に接するように装着したことを特徴とする電子写真感光体、
が提供される。
【０００５】
また、本発明によれば、
（２）前記（１）において、導電性ブラシは一端が板状の導電性基材で集束されており、その板状の導電性基材を円筒状導電性基体の裏面に接触させたことを特徴とする電子写真感光体、
（３）前記（１）において、導電性ブラシを板状の電極板とフランジとの間に挾みこみ、該板状の電極板の周縁部の全部又は一部を円筒状導電性基体の裏面に接触させたことを特徴とする電子写真感光体、
（４）前記（１）において、導電性ブラシが熱硬化性の導電性テープで集束させていることを特徴とする電子写真感光体、
（５）前記（１）において、回転軸方向の導電性ブラシの先端が該回転軸の形状に合わせて、円弧状に切り揃えられていることを特徴とする電子写真感光体、
が提供される。
【０００６】
【発明の実施の形態】
図１は樹脂製（ポリカーボネート製など）のフランジ１に導電性ブラシ５が貼着テープ６により貼付けされており、その貼着テープの一方端が回転軸２に接触しており、他端は感光体用基体４の内壁に接している状態を表わしている。導電性ブラシ５はＳＵＳ、カーボンなどを材料とし、直径５〜１５μｍ好ましくは７〜１２μｍの太さに加工したものを多数体束ねることにより得られる。
【０００７】
ただし、図１に示したように、導電性ブラシ５を回転軸２及び感光体用基体４に単に接触させるだけでは接触力が弱く、意図する抵抗値が得られないという場合がある。そこで、例えば板状の導電性基材で導電性ブラシをはさみ込み、その基材をフランジ圧入時に感光体基体内壁に食い込ませるようにすれば良好なものになる。
図２は、そうした要求に沿うように、板状の導電性基材７を折り曲げてこれに導電性ブラシ５をはさみ込んだものをフランジ１に取付けた状態を示すものである。この時の取付けはフランジ１にボスを設け、そこに導電性基材７にあらかじめ開けられた穴をはめ込んで嵌合する。これを感光体用基体４の内部に圧入したときに導電性基材７の端部が感光体用基体４の内壁に接触するようにしてある。導電性基材７にはアルミニウム板などが用いられる。
【０００８】
また、図２に示した導電性ブラシ５、その導電性ブラシをはさみ込む板状の導電性基材５を感光体用基体に接触させるだけでは、導通の経時的な安定度に幾分かの不安が残らない訳ではない。そこで、本発明では図３のような構成が採用されるのが有利である。
図３はフランジ１に取付けた導電性ブラシ５の上から電極板３を取付けた状態を示すものである。この時の取付けはフランジ１にボスを設け、そこに切り起こし３’を設けた電極板３をはめ込むことによりなされるのが望ましい。感光体用基体４に圧入されたときには、電極板３の板バネ力により導電性ブラシ５がはさみ込まれ、経時的にも安定した接触状態になる。
【０００９】
なお、図１に示したように、導電性ブラシ５を一般的な貼付テープ６でフランジ１に貼付けるだけではブラシ同士の接触力が弱く、抵抗値のばらつきが大きい。その解決策として導電性の熱硬化性テープ８で導電性ブラシ５を集束させ、抵抗値のばらつきを小さくするのが好ましい。
図４はフランジ１に導電性ブラシ５を導電性熱硬化性テープ８で貼付けた状態を示すものである。
図５は導電性基材７と導電性熱硬化性テープ９と合わせて使用した一例である。
【００１０】
図６は回転軸２の形状に合わせて導電性ブラシ５の先端を切り揃えた状態の図である。これは導電性ブラシ５の先端（回転軸部側）がフラット形状では回転軸２との接触力が場所によって異なり、特に中央部では、ブラシ先端が大きく逃げてしまい、接触力が不安定になってしまうのを避けるためである。本発明ではその解決策として、導電性ブラシ５の先端を回転軸２の横断面形状にあわせて、円弧状に切断することとした。
【００１１】
図７は本発明の実施形態で最も良好な結果がもたらされる部材の組合せを示した図である。これら部材の組合せによれば、回転軸２と感光体用基体４との導通は安定し、抵抗値１００ＫΩ・ｃｍ以下をクリアすることがＦＬＵＫＥ社製のデジタルマルチメーターで測定可能となった。
【００１２】
【発明の効果】
請求項１の発明によれば、フランジに取付けた導電性ブラシを摺動させているので、異音および摺動部の摩耗を防止することができる。
請求項２の発明によれば、導電性ブラシをアルミニウム等の板状の導電性基材ではさみ込んでいるので、ブラシ同士の導通を安定させ、なかかつ板状の導電性材料を直接感光体内側に接触させているので、安定した導通を得ることができる。
請求項３の発明によれば、電極板により導電性ブラシが押さえられるため、経時的に安定した導通を得ることができる。
請求項４の発明によれば、導電性ブラシを導電性の熱硬化性テープで集束させているので、ブラシのフィラメント同士の導通を安定させており、また毛抜け防止にもなっている。
請求項５の発明によれば、導電性ブラシの先端を円弧状に切断しているので、回転軸との接触部分の導通を幅方向で安定させることができる。
【図面の簡単な説明】
【図１】（ａ）は本発明の電子写真感光体の主要部材の位置関係を表わした図、（ｂ）は図１（ａ）の正面図である。
【図２】（ａ）は他の本発明の電子写真感光体の主要部材の位置関係を表わした図、（ｂ）は図２（ａ）の正面図である。
【図３】（ａ）はまた他の本発明の電子写真感光体の主要部材の位置関係を表わした図、（ｂ）は図３（ａ）の正面図である。
【図４】導電性の熱硬化性テープを用いて導電性ブラシがフランジに貼付された状態の図である。
【図５】（ａ）は導電性の熱硬化性テープ及び導電性基材を用いて導電性ブラシの一方を集束した状態の正面図、（ｂ）は図５（ａ）の側面図である。
【図６】導電性ブラシの先端が回転軸の形状に合わせてカットされている状態を表わした説明図である。
【図７】本発明の感光体で最も良好と思われる部材の組合せを示した分解斜視図である。
【図８】（ａ）は従来の感光体の一例の主要部材の位置関係を表わした図、（ｂ）は図８（ａ）の正面図である。
【符号の説明】
１  フランジ
２  回転軸
３  電極板（３’  切り起こし）
４  感光体用基体
５  導電性ブラシ
６  粘着テープ
７  導電性基材
８  導電性の熱硬化性テープ
【図１】
0003625927.tif 000002
【図２】
0003625927.tif 000003
【図３】
0003625927.tif 000004
【図４】
0003625927.tif 000005
【図５】
0003625927.tif 000006
【図６】
0003625927.tif 000007
【図７】
0003625927.tif 000008
【図８】
0003625927.tif 000009